(57)【要約】      （修正有）【課題】ビル、集合住宅等において地震波を緩衝させる技術を提供する。【解決手段】ボーリングにより岩盤に到達した穴に鋼管１２を差込み、鋼管１２の上端を地中に設けられた基礎鉄骨１３に溶接接合する。基礎鉄骨１３にウルトラスーパースチールパイプ１を立設する。ウルトラスーパースチールパイプ１は建物の周囲に垂直に設置される。建物は上下方向に４分割され、第１スラスト区分１０、第２スラスト区分７、第３スラスト区分５、第４スラスト区分４とされる。各スラスト間に設けられる上下スラスト研磨鋼板をスラストさせることにより地震波を緩衝させる。各スラストはウルトラスーパースチールパイプ間繋ぎ鋼線ワイヤー２と鉄骨繋ぎ鋼線ワイヤーにより接合される。【選択図】図１
2008308971.tif 000002
【特許請求の範囲】
【請求項１】
ビルマンション建築に於て、基礎工事としてボーリングを行い岩盤に到達させて掘削し適宜の深さを確保し鋼管を差し込み、その上端は地中の適宜の深さに設置された基礎鉄骨水平度工事の後に溶接で繋ぐ。その鉄骨のウルトラスーパースチールパイプを立てる位置には、図面規格通りの精度を持ったパイプ地中埋め込み垂直度出し円型構築物が適宜の深さ入る穴が開けられている。この建築で重要な技術は、私が出願した特願番号２００６−１８６０７０（長物の強度及び反発力の増加加工技術）の金属の長物に針金を緊密にきっちりと巻付け、樹脂類を塗って乾燥させ強力な反発力を増す技術即ちこの案件ではウルトラスーパースチールパイプ（鋼管に鋼線を巻付け樹脂類を塗り乾燥させ再び鋼線を巻付け再び樹脂類を塗って乾燥させる）の加工技術を使用する。その地震波緩衝技術に必要なウルトラスーパースチールパイプは納品する前に、適宜の巾を持った垂直度出し円型構築物は現場で用いるものと１対１で使用し完全平行度精密施設に置かれ、第１スラスト区分を作用させるパイプをその円型構築物の中心孔に差し込み、規格垂直度に至るまで差し込みを変えてその上端部円周をインジケーターで垂直度を求めるがその時円型構築物中心差し込み口とパイプとに差し込み口をマーキングを行う。次に第２スラスト区分を作用させるパイプを初めに立てたパイプ孔から差し込み、上記の同じ方法で垂直度を求める。その様に第３第４区分までマーキングを行い乍ら一本の理想の垂直に立った地震波緩衝の為の強力な反発力を持ったウルトラスーパースチールパイプの仮り設置は完了する。その様に設計図通りの設置本数程の垂直度出しテストを行い納品する。ビルマンション建築は上へ向って築くが高層の内何階までの区分とするかは経済効率によるが仮りに２０階建てマンションを４ブロックに分けると、１６階から２０階までを第４スラスト区分となり、１１階から１５階までを第３スラスト区分となり、６階から１０階までを第２スラスト区分となり、１階から５階までを第１スラスト区分となる。その区分には下部スラスト区分鉄骨と上部スラスト区分鉄骨が組まれ、その上下に繋がるものはパイプに繋がった鋼線ロープだけであり、各４ブロックは適宜の数設置された適宜の直径と巾厚からなる上下スラスト研磨円型鋼板の上にぴったりと重ねられて据え付けられるがその円型鋼板の面積のみが上部の総重量を支える。その納品方法は、下部上部スラスト区分鉄骨に図面規格通りの下部は円型穴が開けられ、上部は円型孔が開けられていて上部下部共に鋼板取付け金具によって一体となって納品するが下部は専用金属収納円型ボックスで納品し、上部は円型鋼板が下になるので脱落防止のボルトの頭が入る凹部を設けられた孔にスプリングワッシャーボルトを入れ、覗いたボルトネジにスプリングワッシャーをかませナットで締付け固定し納品する。納入までのクレーン吊し作業用の孔は、上部スラスト区分鉄骨に削られた上部鋼板取付け金具を支える取付け金具支え部に孔が適宜の数開けられていて、その孔からワイヤーを通して吊すが鉄骨に据え付けには上部鋼板取付け金具とスラスト研磨円型鋼板に至る吊り下げ用フックリングネジ穴を四ヶ所切っていて、現場でフックリングをねじ入れてワイヤーを通しクレーン作業で鉄骨の穴に収納する。その収納を固定する為の取付け金具支え部孔と、鉄骨に切られたネジ穴とはピッチが合っていてワッシャーをかませてネジ締め固定する。尚スラスト研磨円型鋼板の内下部側の研磨面にはグリスを持たせる為の、時計のゼンマイ形の構が削られていて現場で接合時に全体にグリスを塗ると同時にその構にたっぷりとグリスを塗り入れる。下部スラスト研磨円型鋼板と下部鋼板取付け金具とのセットの納入方法は、吊り下げ用フックリングネジ穴が下部鋼板取付け金具の巾の中間に切られていて、そのネジ穴にフックリングをねじ入れてワイヤーを通して吊しクレーン作業を行う。以上の方法で第１スラスト区分から第４スラスト区分まで築いて行くが第１スラスト区分を造ると同時に、ウルトラスーパースチールパイプの一段目が立てられている事なので、そのパイプに取付けられている多方向フックリングと上部スラスト区分鉄骨の多方向フックリングとは方向が一致していて鋼線ワイヤーで繋ぎ、あらゆる方角の地震波をも緩衝スラストさせる。その様に第４スラスト区分と４段目のウルトラスーパースチールパイプとを組立て繋ぐと後は完成を待つのみである。尚４段目ウルトラスーパースチールパイプと建築物壁との間に、地震波緩衝スラストスペースを設けるが上から下に適宜の巾のスペースを設け当然ウルトラスーパースチールパイプは、下の段程太くなり安定設置形状とする。尚、そのパイプは差し込み方法であるので上下パイプの内、下のパイプには下向きの上のパイプには上向きの抜け防止のフック金属丸棒が溶接で適宜の箇数取付けられていて、細ワイヤーで引っ張り固定する。尚上記のウルトラスチールパイプの加工技術を追加する技術として、第一次巻付け加工の金属の長物に針金を緊密にきっちりと巻付けた後第一次加工の、自動ラインでその巻付け外径より大きな外径とする為の即ち、アクリル樹脂粘液に速乾剤液との適宜の粘度から成る混合液を注入するマシーンは、真円の適宜の長さの円筒形治具使用加工であり、第一次巻付け加工マシーンと一体となって適宜の早さで大きな回転軸に据え付けられ回転させ引力差違は生じさせない。その事はその大きな回転軸には、多数の第一次巻付け加工マシーンと第一次加工のアクリル樹脂注入真円加工マシーンとは一体となって回転させ、同時に適宜の複数加工し効率を高める。その様に第二次巻付けと第二次加工を行えば、複数の規格長さ金属加工品即ち当案件に適用すればウルトラスーパースチールパイプとなる。上記の方法で鋼線ワイヤーに鋼線を巻付けると（ウルトラスーパー鋼線ワイヤー）となり、鋼棒又は鋼管以外の長物の金属に針金を巻付けると（ウルトラスチールパイプ）となり、銅線に針金を巻付けると（ウルトラ銅線）となり、ゴルフクラブ用のテーパースチールに化学繊維の糸を巻付けると（ウルトラスチールゴルフクラブ）となり、カーボンテーパーパイプに化学繊維の糸を巻付けると（ウルトラカーボンゴルフクラブ又は釣竿）となり又は農産物風害防御布張りウルトラカーボン支柱パイプとなり、又は漁港及びマリーナの台風防御布張りウルトラカーボン支柱パイプとなり、又はストレートカーボンパイプに化学繊維の糸を巻付けるとウルトラカーボンパイプとここで命名し、それを使えば鉄道車輌横揺れ防御ウルトラカーボンパイプとなり、自動車衝突及び激突損壊から生命を守る車の外板と内板の間の前部と後部と両横面にパイプを置ける凸部を設け設置すると自動車事故生命防御ウルトラカーボンパイプとなり、自動車室内天上部と屋根との間に石油燃料タンクを設置し衝突事故による従来のタンク損壊炎焼死亡事故を無くす為のタンクガードウルトラカーボンパイプとなり、一般住宅の屋根の棟や傾斜面の垂木の代用に使用し震災防御軽量化ウルトラカーボンパイプとなり、その他航空機やヘリコプターや船舶の内部金属棒の代替に用いれば総重量軽減に貢献でき、又体操の平行棒や棒高跳びのバーに使用出来、又テニスのラケットに使用出来、又船舶の横揺れ防止フロート支え棒に使用出来る。又野球の木のバットに化学繊維の糸を巻付けると折れない（ウルトラバット）が出来る。その他長物の強度と反発力を出す加工技術素材として木や竹に化学繊維の糸に巻付けると用途は広がる。
【発明の詳細な説明】
【技術分野】
【０００１】  本発明は、ビルマンションの地震波を緩衝させる次世代の技術として社会に普及させる為に考案されたものである。
【背景技術】
【０００２】  従来に於ては、巨大な油圧装置や巨大な強化ゴムの構築物の上に建物を受けさせて地震波を緩衝させる技術は有るがビルマンションの上層階対策及び全階に及ぶ技術は無かった。
【発明が解決しようとする課題】
【０００３】  この緩衝技術は、私が提出した特願番号２００６−１８６０７０（長物の強度及び反発力の増加加工技術）の特許請求の範囲に示した金属の長物に、針金を緊密にきっちりと適宜の回数巻付け樹脂類を塗って乾燥させ強力な反発力を増す技術即ち、この案件ではウルトラスーパースチールパイプ（鋼管に鋼線を巻付ける）をビルマンションの建物の周囲に、適宜の本数適宜の位置に適宜の深さに地中に埋め込み、その末端は垂直度を出す為の適宜の大きさの円型ブロックから成る差し込み方式の第１スラスト区分までの長さのウルトラスーパースチールパイプとし、マンションを上へ上へと築いて行く過程で第４スラスト区分まで上から差し込み方式とする。その為にパイプ抜け防止の上下パイプを繋ぐ為の、細ワイヤーを掛けて引っ張るフック掛けを設ける。又建築の基礎工事として、横方向前後６本縦方向２本をポーリングをして岩盤に穴を開けて鋼管を適宜の深さ差し込み、第１スラスト区分鉄骨とを溶接で取付け固定する。又立てられたウルトラスーパースチールパイプは、建物と壁の隙間である地震波緩衝４Ｍスラストスペースは左右８メートルであり、３Ｍは６メートル、２Ｍは４メートル、１Ｍは２メートルである。そのパイプにはワイヤーフックを掛けるフックリングが取付けてあり、第４スラスト区分から第１スラスト区分までのそれぞれの鉄骨に設けているフックリングと鋼線ワイヤーで多方向に繋がれ、あらゆる方向の地震波をも緩衝させる。その緩衝の骨子は、下部スラスト区分を上面図から見てスラスト研磨円型鋼板を６枚設置し、上部スラスト区分の総重量を受けさせてグリスを持たせる為の、スラスト面に時計のゼンマイ状の細構を削り設けるが地震波を建物に伝えさせない為に、計１２本のウルトラスーパースチールパイプの強力な反発力で引っ張り合う構造である。
【課題を解決するための手段】
【０００４】  この案件は図１の如く、２０階建てマンションを前提として述べると第４スラスト区分４から第１スラスト区分１０までの四ブロックに分け、地震波緩衝技術である図３の上下のスラスト研磨円型鋼板６を下部鋼板取付け金具７とのセット方法として、特殊金型治具代用の吊り下げ用フックリングネジ穴９に代用治具押えネジを入れて固定納品し、上部鋼板取付け金具５とのセット方法として製造ラインで両者のボルト孔４ヶ所にボルトを入れ、スプリングワッシャー３をかませてボルト・ナット２の通り締付け固定する。その上下の納品を済ませ、マンションを上に築いて行く過程で下部スラスト区分鉄骨１１の取付け穴に嵌め込む為に、特殊金型治具を取り外し、そのネジ穴にフックリングをねじ入れたそのリングを使いワイヤーを通しクレーンで吊し嵌め込む。次に上部スラスト区分鉄骨１２を取付けると、その取付け穴に吊り下げ用フックリング１の中にワイヤーを通しクレーンで吊し嵌め込む。地震波を建物に受けさせないフリーの各区分の上部が下部より大きく揺れるので、上部区分のスラスト研磨円型鋼板６が左右の空白部１０にスラストさせてずれさせて逃がすフリーブロック方法である。その逃がす技術は、マンション全周に計１４本のウルトラスーパースチールパイプ図２の１を等間隔に立て図１の地震波緩衝４Ｍスラストスペース３と、地震波緩衝３Ｍスラストスペース６と地震波緩衝２Ｍスラストスペース８と地震波緩衝スラスト１Ｍスラストスペース９として設け、第４スラスト区分から第１スラスト区分までのフリーブロック作用部とを繋ぐ為の相方のフックリングには、ウルトラスーパースチールパイプ間繋ぎ鋼線ワイヤー２と、鉄骨繋ぎ鋼線ワイヤー図２の３をあらゆる地震波の方角に対応させて多方向に張りつめる。尚マンション建築の基礎工事として、地下ボーリングを行い岩盤に穴を開け図１の岩盤穴開け鋼管差し込み１２で建物を固定させる。
【発明の実施形態】
【０００５】  イ）製造ラインで各４本の太さのウルトラスーパースチールパイプを用いて、現場に見立てた垂直設置の為の仮り組立て（差し込み）を行って完全垂直度出しを果すまで差し込みを変えてマーキングを行い、そのマーキング通りに現場で組立てる。その為にはパイプ地中埋め込み垂直度出し構築物を設置するがその上に置くための、地中に設置する鉄骨の平行度出しを行わねばならないが地震等の地盤変動に対応して、８本岩盤に差し込まれた鋼管とその鉄骨とを溶接で繋ぎ一体とする。
ロ）ウルトラスーパースチールパイプの各太さに対する反発係数と震度との比例化を計るマニュアル作りがこの案件のポイントである。
【発明の効果】
【０００６】  イ）大地震が起きて高層ビルや高層マンション等は、最上階は当然乍ら全階全ての揺れが無くなり、地震多発国にとって大いなる恩恵となる。
ロ）当案件の地震緩衝ビルマンションの大建築ブームがやって来て、経済的効果は計り知れないものとなる。
【図面の簡単な説明】
【図１】本発明の、２０階建てマンションのウルトラスーパースチールパイプを設置した実施図である。
【図２】下部スラスト区分を、上面図から見た実施図である。
【図３】上部下部スラスト区分の、スラスト研磨円型鋼板を接合設置した断面図である。
【符号の説明】
［図１］  １  ウルトラスーパースチールパイプ  ２  ウルトラスーパースチールパイプ間繋ぎ鋼線ワイヤー  ３  地震波緩衝４Ｍスラストスペース  ４  第４スラスト区分  ５  第３スラスト区分  ６  地震波緩衝３Ｍスラストスペース  ７  第２スラスト区分  ８  地震波緩衝２Ｍスラストスペース  ９  地震波緩衝１Ｍスラストスペース  １０  第１スラスト区分  １１  パイプ地中埋め込み垂直度出し構築物断面  １２  岩盤穴開け鋼管差し込み  １３  平行度出し基礎鉄骨  １４  ２０階建てマンション屋上部分
［図２］  １  ウルトラスーパースチールパイプ  ２  ウルトラスーパースチールパイプ間繋ぎ鋼線ワイヤー  ３  鉄骨繋ぎ鋼線ワイヤー  ４  鉄骨骨組み  ５  鋼線ワイヤー建物間スペース  ６  スラスト研磨円型鋼板  ７  横方向建物全長  ８  縦方向建物全長
［図３］  １  吊り下げ用フックリング  ２  ボルト・ナット  ３  スプリングワッシャー  ４  上部鋼板取付け金具  ５  スラスト研磨円型鋼板  ６  下部鋼板取付け金具  ７  スラスト研磨部  ８  吊り下げ用フックリングネジ穴  ９  空白部スラストスペース  １０  下部スラスト区分鉄骨  １１  上部スラスト区分鉄骨  １２  取付け金具支え部
【図１】
2008308971.tif 000003
【図２】
2008308971.tif 000004
【図３】
2008308971.tif 000005